(57)【要約】      （修正有）【課題】ガンタイプの蛍光Ｘ線分析装置等の携帯型分析装置を用いて、湾曲面を有する配管等の各種分析を行う際に、配管等の湾曲面に対して、携帯型分析装置をぐらつき無く宛がって、その測定精度を飛躍的に向上できる、携帯型分析装置に装着する湾曲面測定用治具を提供する。【解決手段】携帯型分析装置に装着する湾曲面測定用治具１は、ガンタイプの蛍光Ｘ線分析装置等の携帯型分析装置のＸ線照射部Ｓａに装着する環状体２に、測定対象物である配管等の湾曲面に宛がう当接体３を設けている。また、環状体は、携帯型分析装置のＸ線照射部に合致した略長方形状に形成され、当接体は、略長方形状の環状体における両長手方向部から、所定の長さを有するように延設された一対の固定板６と、固定板の端部に設けた一対の湾曲した接触脚部７により構成されている。【選択図】図３
2017173093.tif 000002
【特許請求の範囲】
【請求項１】
ガンタイプの蛍光Ｘ線分析装置等の携帯型分析装置のＸ線照射部に装着する環状体に、測定対象物である配管等の湾曲面に宛がう当接体を設けたことを特徴とする、携帯型分析装置に装着する湾曲面測定用治具。
【請求項２】
環状体は、携帯型分析装置のＸ線照射部に合致した略長方形状に形成され、当接体は、略長方形状の環状体における両長手方向部から、所定の長さを有するように延設された一対の固定板と、固定板の端部に設けた一対の湾曲した接触脚部により構成されている請求項１に記載の携帯型分析装置に装着する湾曲面測定用治具。
【請求項３】
当接体の接触脚部は、配管等の湾曲面に、半円乃至半円に近い範囲で接触するように形成されている請求項１または２に記載の携帯型分析装置に装着する湾曲面測定用治具。
【請求項４】
当接体の接触脚部は、緩衝材を備えている請求項２または３に記載の携帯型分析装置に装着する湾曲面測定用治具。
【請求項５】
当接体の接触脚部は、磁性体を備えている請求項２乃至４のいずれかに記載の携帯型分析装置に装着する湾曲面測定用治具。
【請求項６】
当接体の接触脚部は、開閉可能に形成されている２乃至５のいずれかに記載の携帯型分析装置に装着する湾曲面測定用治具。
【請求項７】
当接体の接触脚部は、配管等の湾曲面に半円乃至半円に近い範囲で接触した状態において、配管等の露出している湾曲面に巻回する閉鎖部材を備えている請求項３乃至６のいずれかに記載の携帯型分析装置に装着する湾曲面測定用治具。
【請求項８】
接触脚部の閉鎖部材は、接触脚部の端部に取り付けた、略半円状のリング部材である請求項７に記載の携帯型分析装置に装着する湾曲面測定用治具。
【請求項９】
接触脚部の閉鎖部材は、接触脚部の端部に取り付けた、バンド部材である請求項７に記載の携帯型分析装置に装着する湾曲面測定用治具。
【請求項１０】
環状体は、携帯型分析装置のＸ線照射部に合致した略長方形状に形成され、当接体は、略長方形状の環状体における両長手方向部から延設された、略ハ字状に形成された一対の拡開板により構成され、一対の拡開板は、配管等の露出している湾曲面に巻回するバンド部材を備えており、このバンド部材は、両端部を拡開板に掛止でき、その掛止位置を移動可能に形成されている請求項１に記載の携帯型分析装置に装着する湾曲面測定用治具。
【発明の詳細な説明】
【技術分野】
【０００１】
本発明は、ガンタイプの蛍光Ｘ線分析装置等の携帯型分析装置を用いて、湾曲面を有する配管等の各種分析を行う際に、配管等の湾曲面に対して、携帯型分析装置をぐらつき無く宛がって、その測定精度を飛躍的に向上できる、携帯型分析装置に装着する湾曲面測定用治具に関するものである。
【背景技術】
【０００２】
蛍光Ｘ線分析装置は、例えば、金属材料等の測定対象物にＸ線を照射し、測定対象物から放射された蛍光Ｘ線を測定することにより、測定対象物の元素成分等を分析することが可能である。
【０００３】
この様な蛍光Ｘ線分析装置は、鋼種判別、土壌汚染物質、ＲｏＨＳ／ＥＬＶ規制対応分析等、金属材料の品質管理や環境規制対応等の様々な分野で使用されている。
【０００４】
この蛍光Ｘ線分析装置は、持ち運びを容易に行うために、コンパクトで軽量なガンタイプの携帯型のものが開発されている。そして、近年の測定機能の向上により、卓上型の蛍光Ｘ線分析装置と同じような精度を有するガンタイプの携帯型分析装置が開発され、その使用範囲が拡大している。
【０００５】
この様なガンタイプの携帯型分析装置を使用して、金属材料等の測定対象物の元素成分等を正確に分析するためには、下記の条件Ａ・Ｂを備えることが不可欠である。
Ａ．ガンタイプの携帯型分析装置を測定対象物に対して垂直に宛がい、測定
対象物に対してＸ線を垂直に照射する事
Ｂ．ガンタイプの携帯型分析装置を測定対象物に対して隙間の無い状態で宛
がい、測定対象物に対してＸ線を照射する事
【０００６】
一方、炭素鋼配管に含まれるＣｒ含有率が、０〜０.１％の範囲では、流れ加速型腐食（ＦＡＣ）の減肉速度が大きく変化することから、配管減肉の評価においては、この範囲のＣｒ含有率を、特に精度良く、好ましくは０．０１％以下の精度で把握することが重要となる。
【０００７】
この他、管の内壁付着物厚さの測定装置として、特許文献１に示すものが存在している。
【０００８】
この特許文献１に示す管の内壁付着物厚さの測定装置は、図１６に示すように、放射線を発する線源１００と、この線源１００からの放射線量を検出するためのセンサ１０１と、これらの線源１００およびセンサ１０１が取り付けられかつ管１０２に着脱可能な測定治具１０３とを備え、この測定治具１０３を管１０２に装着した状態で、前記線源１００およびセンサ１０１が、管１０２と交差しかつその中心を通る線上に当該管１０２を挟んで対向配置されるように構成されている。
【０００９】
また、管の内壁付着物厚さの測定装置として、特許文献２に示すものが存在している。
【００１０】
この特許文献２に示す配管用厚さ測定装置は、図１７に示すように、二個の配管当接部２０１および線源を有する線源取付部２０２と、二個の配管当接部２０３およびセンサ２０４を有するセンサ取付部２０５と、一端に先端部が、また他端にベルト取付部がそれぞれ形成された一対の締結ベルト２０６と、線源取付部２０２に設けられ、一対の締結ベルト２０６のベルト取付部がそれぞれ取付けられる一対の被取付部と、センサ取付部２０５に設けられ、先端部を合わせた一対の締結ベルト２０６を挟み込み、ベルト取付部からの締結ベルト２０６の長さを両側で等しくしつつ配管に固定するベルト固定部２０７と、を備え、
配管２０８への締結時に二個の配管当接部２０１・２０３を結ぶ線の中心を通過する垂線上に配管２０８の中心、線源およびセンサ２０４が位置するとともに、線源からの放射線が配管２０８の中心を通過してセンサ２０４へ入射するように、線源取付部２０２およびセンサ取付部２０５が配管２０８を挟んで対向して位置決めされている。
【先行技術文献】
【特許文献】
【００１１】
【特許文献１】特開平１１−２０１７４４号公報
【特許文献１】特開２００８−２８７３号公報
【発明の概要】
【発明が解決しようとする課題】
【００１２】
上記したように、ガンタイプの携帯型分析装置を使用して、金属材料等の測定対象物の元素成分等を正確に分析するためには、下記の条件Ａ・Ｂを備えることが不可欠である。
Ａ．ガンタイプの携帯型分析装置を測定対象物に対して垂直に宛がい、測定
対象物に対してＸ線を垂直に照射する事
Ｂ．ガンタイプの携帯型分析装置を測定対象物に対して隙間の無い状態で宛
がい、測定対象物に対してＸ線を照射する事
そして、発電プラント等の内部を流体が流れる配管においては、流れの乱れにより腐食が助長される配管減肉（流れ加速型腐食…ＦＡＣ）が発生することがある。ＦＡＣによる配管減肉の速度は、材料（炭素鋼）中のＣｒ含有率に依存し、Ｃｒ含有率が低いほど、減肉速度が大きくなる。
【００１３】
このとき、減肉速度（ＦＡＣ  ｒａｔｅ）は、Ｃｒ含有率が０〜０．１%の間では、０．０１%の変化により、減肉速度（ＦＡＣ  ｒａｔｅ）が急激に変化することから、これらを精度良く測定することにより、精度の良い配管減肉の評価が初めて可能となる。
【００１４】
しかし、測定対象物が配管のような湾曲面を有する場合、誤差が生じ易く、評価に必要な測定精度を満足することができない事態が生じる場合がある。
【００１５】
具体的には、作業員がガンタイプの携帯型分析装置を手に持ち、配管の湾曲面にＸ線照射部を宛がったとき、ガンタイプの携帯型分析装置がぐらついて、配管の湾曲面に対して、Ｘ線を垂直に照射する事ができない事態が生じる懸念がある。
【００１６】
また、配管の湾曲面に宛がったガンタイプの携帯型分析装置がぐらつくことから、ときとして、配管の湾曲面に隙間の無い状態でＸ線を照射する事ができない事態も生じる可能性がある。
【００１７】
作業現場においては、例えば、図１５（ａ）に示すように、携帯型分析装置と測定対象物について、様々な位置関係が生じることが想定される。
【００１８】
例えば、上記したＡ・Ｂの条件を満たす通常の測定状態１、分析装置と測定対象物の間に１．５ミリメートルの隙間が存在している測定状態２、分析装置を測定対象物に対して５°傾斜した状態で宛がっている測定状態３等である。
【００１９】
そして、図１５（ｂ）は、上記した通常の測定状態１、分析装置と測定対象物の間に１．５ミリメートルの隙間が存在している測定状態２、分析装置を測定対象物に対して５°傾斜した状態で宛がっている測定状態３での分析結果を示している。
【００２０】
これらの値を比較すると、分析装置と測定対象物の間に隙間が存在している測定状態２、分析装置を測定対象物に対して５°傾斜して宛がっている測定状態３では、測定精度が低下し、誤差が生じている。
【００２１】
この試験において、分析装置と測定対象物間に隙間が生じた際の誤差は、０．０１％程度の変化と通常の分析目的であれば特に影響はないが、配管減肉の感受性を評価する上で、Ｃｒ含有率が０〜０．１%の間にある低Ｃｒ含有率においては、０．０１%の変化により、減肉速度（ＦＡＣ  ｒａｔｅ）が急激に変化する。
【００２２】
ここで、分析装置と測定対象物の間に隙間が存在している測定状態２や、分析装置が測定対象物に対して僅かに傾斜して宛がっている測定状態３では、標準試料Ｎｏ．２および３に示すように、Ｃｒ含有率０〜０．１％の範囲で０．０１％を超える誤差が生じており、減肉速度の評価に影響を及ぼすこととなるため、より正確な測定方法が求められる。
【００２３】
この他、特許文献１に示す管の内壁付着物厚さの測定装置、特許文献２に示す配管用厚さ測定装置は、いずれも配管に対して測定装置を好ましい状態で固定できるものの、ガンタイプの携帯型分析装置のように、携帯型分析装置を測定対象物に宛がって、携帯型分析装置がぐらつき易い不安定な状態で測定を行うような場合において、その測定精度を向上させる治具としての機能は、いずれも有していなかった。
【００２４】
そこで、本発明は如上のような従来存した諸事情に鑑み創出されたもので、ガンタイプの蛍光Ｘ線分析装置等の携帯型分析装置を用いて、湾曲面を有する配管等の各種分析を行う際に、配管等の湾曲面に対して、携帯型分析装置をぐらつき無く宛がうことで、測定精度を飛躍的に向上できる、携帯型分析装置に装着する湾曲面測定用治具を提供することを目的とする。
【課題を解決するための手段】
【００２５】
本発明に係る請求項１の発明は、ガンタイプの蛍光Ｘ線分析装置等の携帯型分析装置のＸ線照射部に装着する環状体に、測定対象物である配管等の湾曲面に宛がう当接体を設けたことで、上述した課題を解決した。
【００２６】
この請求項１に記載の携帯型分析装置に装着する湾曲面測定用治具によれば、ガンタイプの蛍光Ｘ線分析装置等の携帯型分析装置のＸ線照射部に環状体を装着して、測測定対象物である配管等の湾曲面に当接体を宛がうので、配管等の湾曲面に対して、携帯型分析装置をぐらつき無く宛がうことが可能となり、携帯型分析装置による測定精度を飛躍的に向上させる事ができる。
【００２７】
本発明に係る請求項２の発明は、環状体は、携帯型分析装置のＸ線照射部に合致した略長方形状に形成され、当接体は、略長方形状の環状体における両長手方向部から、所定の長さを有するように延設された一対の固定板と、固定板の端部に設けた一対の湾曲した接触脚部により構成されていることで、同じく、上述した課題を解決した。
【００２８】
この請求項２に記載の携帯型分析装置に装着する湾曲面測定用治具によれば、環状体は、携帯型分析装置のＸ線照射部に合致した略長方形状に形成されているので、この環状体を介して、携帯型分析装置のＸ線照射部に湾曲面測定用治具を簡単に装着する事ができる。
【００２９】
また、当接体は、略長方形状の環状体における両長手方向部から、所定の長さを有するように延設された一対の固定板と、固定板の端部に設けた一対の湾曲した接触脚部により構成されているので、ガンタイプの蛍光Ｘ線分析装置等の携帯型分析装置のＸ線照射部に環状体を装着して、配管等の湾曲面に対して、一対の湾曲した接触脚部を宛がうことにより、携帯型分析装置が前後方向・左右方向にぐらついてしまう事態の発生を阻止する事ができる。
【００３０】
さらに、当接体は所定の長さを有するように延設された一対の固定板を有し、かつ、携帯型分析装置のＸ線照射部と環状体の間に幾分かの遊びを有し携帯型分析装置を任意の位置にてボルト部材で環状体に固定することができるので、携帯型分析装置のＸ線照射部を湾曲面測定用治具に挿入するように装着して、携帯型分析装置のＸ線照射部を、配管等の湾曲面に隙間の無い状態で固定することも、配管等の湾曲面に僅かの隙間を残した状態で固定することもできる。
【００３１】
本発明に係る請求項３の発明は、当接体の接触脚部は、配管等の湾曲面に、半円乃至半円に近い範囲で接触するように形成されていることで、同じく、上述した課題を解決した。
【００３２】
この請求項３に記載の携帯型分析装置に装着する湾曲面測定用治具によれば、当接体の接触脚部は、配管等の湾曲面に、半円乃至半円に近い範囲で接触するように形成されているので、作業員が僅かな力で携帯型分析装の接触脚部を配管等の湾曲面に押し付けるだけで、携帯型分析装置が前後方向・左右方向にぐらついてしまう事態の発生を確実に阻止する事ができる。
【００３３】
本発明に係る請求項４の発明は、当接体の接触脚部は、緩衝材を備えていることで、同じく、上述した課題を解決した。
【００３４】
この請求項４に記載の携帯型分析装置に装着する湾曲面測定用治具によれば、接触脚部と配管等の湾曲面との間に、緩衝材が介在するので、携帯型分析装置による測定中に、携帯型分析装置の前後方向・左右方向へのずれの発生を確実に阻止する事ができる。
【００３５】
本発明に係る請求項５の発明は、当接体の接触脚部は、磁性体を備えていることで、同じく、上述した課題を解決した。
【００３６】
この請求項５に記載の携帯型分析装置に装着する湾曲面測定用治具によれば、配管等の湾曲面に、磁性体による吸引力が作用するので、作業員は、携帯型分析装の接触脚部を配管等の湾曲面に押し付ける必要も無く、携帯型分析装置による測定中に、携帯型分析装置の前後方向・左右方向へのずれの発生を確実に阻止する事ができる。
【００３７】
本発明に係る請求項６の発明は、当接体の接触脚部は、開閉可能に形成されていることで、同じく、上述した課題を解決した。
【００３８】
この請求項６に記載の携帯型分析装置に装着する湾曲面測定用治具によれば、当接体の接触脚部は、開閉可能に形成されているので、一つの湾曲面測定用治具を用意することにより、径の異なる複数の配管等の湾曲面に対応する事ができる。
【００３９】
本発明に係る請求項７の発明は、当接体の接触脚部は、配管等の湾曲面に半円乃至半円に近い範囲で接触した状態において、配管等の露出している湾曲面に巻回する閉鎖部材を備えていることで、同じく、上述した課題を解決した。
【００４０】
この請求項７に記載の携帯型分析装置に装着する湾曲面測定用治具によれば、当接体の接触脚部は、配管等の湾曲面に半円乃至半円に近い範囲で接触した状態において、配管等の露出している湾曲面に巻回する閉鎖部材を備えているので、作業員による、携帯型分析装の接触脚部の配管等の湾曲面への押し付け力と、閉鎖部材による締め付け力が合わさり、携帯型分析装置が前後方向・左右方向にぐらついたり、ずれの発生を確実に阻止する事ができる。
【００４１】
本発明に係る請求項８の発明は、接触脚部の閉鎖部材は、接触脚部の端部に取り付けた、略半円状のリング部材であることで、同じく、上述した課題を解決した。
【００４２】
この請求項８に記載の携帯型分析装置に装着する湾曲面測定用治具によれば、接触脚部と略半円状のリング部材による閉鎖部材により配管等の湾曲面の周囲全体を強く締め付けて、携帯型分析装置が前後方向・左右方向にぐらついたり、ずれの発生を確実に阻止する事ができる。
【００４３】
本発明に係る請求項９の発明は、接触脚部の閉鎖部材は、接触脚部の端部に取り付けた、バンド部材であることで、同じく、上述した課題を解決した。
【００４４】
この請求項９に記載の携帯型分析装置に装着する湾曲面測定用治具によれば、
接触脚部とバンド部材による閉鎖部材により配管等の湾曲面の周囲全体を強く締め付けて、携帯型分析装置が前後方向・左右方向にぐらついたり、ずれの発生を確実に阻止する事ができる。
【００４５】
本発明に係る請求項１０の発明は、環状体は、携帯型分析装置のＸ線照射部に合致した略長方形状に形成され、当接体は、略長方形状の環状体における両長手方向部から延設された、略ハ字状に形成された一対の拡開板により構成され、一対の拡開板は、配管等の露出している湾曲面に巻回するバンド部材を備えており、このバンド部材は、両端部を拡開板に掛止でき、その掛止位置を移動可能に形成されていることで、同じく、上述した課題を解決した。
【００４６】
この請求項１０に記載の携帯型分析装置に装着する湾曲面測定用治具によれば、当接体は、略ハ字状に形成された一対の拡開板により構成されているので、この一対の拡開板により、径の異なる複数の配管等の湾曲面に対応する事ができる。
【００４７】
即ち、当接体が略ハ字状に形成された一対の拡開板により構成されているので、携帯型分析装置を配管等の湾曲面に押し付けた際、略ハ字状の拡開板における下面の２点箇所が配管等の湾曲面に強く当たり、その状態で配管等の露出している湾曲面にバンド部材を巻回して締め付けるので、径の異なる複数の配管等の湾曲面において、携帯型分析装置が前後方向・左右方向にぐらついたり、ずれの発生を確実に阻止する事ができる。
【００４８】
また、バンド部材は、両端部を拡開板に掛止でき、その掛止位置を移動可能に形成されているので、一つの湾曲面測定用治具を用意することにより、径の異なる複数の配管等の湾曲面に対応する事ができる。
【００４９】
加えて、バンド部材は、その両端部を、拡開板の好ましい位置に簡単に掛止できるので、配管等の湾曲面に対して、湾曲面測定用治具を容易に取り付けたり、取り外す事ができる。
【発明の効果】
【００５０】
本発明によれば、ガンタイプの蛍光Ｘ線分析装置等の携帯型分析装置を用いて、湾曲面を有する配管等の各種分析を行う際に、配管等の湾曲面に対して、携帯型分析装置をぐらつき無く宛がって、携帯型分析装置の測定精度を飛躍的に向上させる事ができる。
【００５１】
また、作業員は、僅かな力で携帯型分析装置を配管等の湾曲面に押し付けるだけで、携帯型分析装置のずれの発生を確実に阻止でき、測定精度も飛躍的に向上することから、作業時間を大幅に短縮すると共に、作業員がいたずらに疲労してしまう事態の発生も回避して、全体の作業効率も飛躍的に向上させる事ができる。
【図面の簡単な説明】
【００５２】
【図１】本発明に係る湾曲面測定用治具の構成を示す斜視図である。
【図２】湾曲面測定用治具の構成を示すもので、（ａ）は平面図、（ｂ）は正面図（背面図）、（ｃ）は側面図である。
【図３】携帯型分析装置のＸ線照射部に、環状体を押し込むようにして装着する状態を示す分解斜視図である。
【図４】携帯型分析装置のＸ線照射部に環状体を固定した状態において、当接体の接触脚部を配管等の湾曲面に宛がっている使用状態を示す斜視図である。
【図５】携帯型分析装置のＸ線照射部に環状体を固定した状態において、当接体の接触脚部を配管等の湾曲面に宛がっている使用状態を示す側面図である。
【図６】携帯型分析装置のＸ線照射部に環状体を固定した状態において、当接体の接触脚部を配管等の湾曲面に宛がっている使用状態を示す側断面図である。
【図７】接触脚部が緩衝材を備えている湾曲面測定用治具の使用状態を示すもので、（ａ）は斜視図、（ｂ）は側面図である。
【図８】接触脚部が磁性体を備えている湾曲面測定用治具の使用状態を示すもので、（ａ）は斜視図、（ｂ）は側面図である。
【図９】接触脚部が閉鎖部材としてリング部材を備えている湾曲面測定用治具の使用状態を示すもので、（ａ）は配管等の湾曲面に宛がっているリング部材が開いている状態を示す斜視図、（ｂ）はリング部材が閉じている状態を示す斜視図である。
【図１０】接触脚部が閉鎖部材としてリング部材を備えている湾曲面測定用治具の使用状態を示すもので、（ａ）は配管等の湾曲面に宛がっているリング部材が開いている状態を示す側面図、（ｂ）はリング部材が閉じている状態を示す側面図である。
【図１１】接触脚部が開閉可能であり、閉鎖部材としてバンド部材を備えている湾曲面測定用治具の使用状態を示すもので、（ａ）は径の大きい配管等の湾曲面に宛がっている状態を示す側面図、（ｂ）は（ａ）よりも径の小さい配管等の湾曲面に宛がっている状態を示す側面図である。
【図１２】接触脚部を構成する両棒状体の開閉角度が異なるようにして、携帯型分析装置を配管等の湾曲面に対して好ましい角度と位置に宛がっている使用状態を示す側面図である。
【図１３】当接体が略ハ字状に形成された一対の拡開板により構成されている湾曲面測定用治具の使用状態を示すもので、（ａ）は斜視図、（ｂ）は側面図である。
【図１４】携帯型分析装置のＸ線照射部に環状体を固定した状態において、当接体の接触脚部を、配管等の湾曲面に僅かの隙間を残した状態で宛がっている使用状態を示す側断面図である。
【図１５】分析装置と測定対象物の位置関係と、標準試料の測定結果を示すもので、（ａ）は通常の測定状態１、分析装置と測定対象物の間に１．５ミリメートルの隙間が存在している測定状態２、分析装置を測定対象物に対して５°傾斜した状態で宛がっている測定状態３を示し、（ｂ）は異なる分析装置位置における標準試料の測定結果を示すものである。
【図１６】特許文献１に示す、管の内壁付着物厚さの測定装置の構成を示す一部断面図である。
【図１７】特許文献２に示す、管の内壁付着物厚さの測定装置の構成を示す斜視図である。
【発明を実施するための形態】
【００５３】
以下に、図面を参照して、本発明の一実施の形態について説明する。
【００５４】
＜実施の形態＞
本発明に係る、携帯型分析装置Ｓに装着する湾曲面測定用治具１は、図１・図２に示すように、環状体２と当接体３により構成されている。
【００５５】
具体的には、図３・図４に示すように、ガンタイプの蛍光Ｘ線分析装置等の携帯型分析装置ＳのＸ線照射部Ｓａに装着する環状体２に、測定対象物である配管Ｈ等の湾曲面に宛がう当接体３を設けている。
【００５６】
環状体２は、図２（ａ）・図３に示すように、携帯型分析装置ＳのＸ線照射部Ｓａの輪郭に合致するように、所定の縦幅を有する略長方形の環状に形成されている。
【００５７】
この環状体２は、携帯型分析装置のＸ線照射部と環状体２の間に、多少の隙間を有するように形成されている。この様に、携帯型分析装置ＳａのＸ線照射部Ｓａと環状体２の間に、多少の隙間である、所謂遊びを有するので、大きさの異なる携帯型分析装置に対応可能である。
【００５８】
この環状部分は、所定の厚みを有するように形成されている。また、環状体２は、周壁の４箇所に螺子孔４を設けており、所定の長さの雄螺子部分を有するボルト部材５を捩じ込み可能になっている。
【００５９】
この様に、携帯型分析装置ＳａのＸ線照射部Ｓａと環状体２の間に、多少の隙間である、所謂遊びを有している状態において、ボルト部材５による捩じ込みにより固定可能であるので、測定する作業員の希望する角度や、携帯型分析装置ＳのＸ線照射部Ｓａと配管Ｈ等の湾曲面の間の隙間の有無等にも対応可能である。
【００６０】
尚、図に示す環状体２は、略長方形の環状に形成されているが、これに限定されることはなく、携帯型分析装置ＳのＸ線照射部Ｓａの輪郭形状に合致するものであれば、どのような環形状であっても差し支えない。
【００６１】
環状体２の下部に設けている当接体３は、図１・図２（ｂ）（ｃ）に示すように、一対の固定板６と接触脚部７により構成されている。
【００６２】
具体的には、図３・図４に示すように、略長方形状の環状体２における両長手方向部から、下方に向けて所定の長さを有するように延設された一対の固定板６を備え、この一対の固定板６の端部に、一対の湾曲した接触脚部７を設けている。
【００６３】
当接体３の接触脚部７は、配管Ｈ等の湾曲面に沿うように円状に屈曲した棒状体により形成されている。この接触脚部７は、図５に示すように、配管Ｈに対して、半円乃至半円に近い範囲で接触する長さを有するように形成されている。
【００６４】
本発明に係る湾曲面測定用治具１を携帯型分析装置Ｓに装着するときは、まず、図３・図４に示すように、携帯型分析装置ＳのＸ線照射部Ｓａに、環状体２を押し込むようにして宛がう。
【００６５】
次に、図５・図６に示すように、環状体２内に挿入しているＸ線照射部Ｓａの好ましい位置において、各螺子孔４にボルト部材５を捩じ込んで、携帯型分析装置ＳのＸ線照射部Ｓａに環状体２を固定する。
【００６６】
このとき、図５・図６に示すように、当接体３は所定の長さを有するように延設された一対の固定板６を有し、かつ、携帯型分析装置ＳのＸ線照射部Ｓａと環状体の間に幾分かの遊びを有し携帯型分析装置Ｓを任意の位置にてボルト部材５で環状体に固定することができるので、携帯型分析装置ＳのＸ線照射部Ｓａを湾曲面測定用治具１に挿入するように装着して、携帯型分析装置ＳのＸ線照射部Ｓａを、配管Ｈ等の湾曲面に隙間の無い状態で固定することができる。
【００６７】
また、図１４に示すように、携帯型分析装置ＳのＸ線照射部Ｓａを、配管Ｈ等の湾曲面に、僅かの隙間を残した状態で固定することもできる。
【００６８】
この他、図７（ａ）（ｂ）に示すように、当接体３の接触脚部７が、所定の緩衝材８を備えていると、携帯型分析装置Ｓによる測定中に、携帯型分析装置Ｓの前後方向・左右方向へのずれの発生を阻止した湾曲面測定用治具１として、好ましいものとなる。
【００６９】
この緩衝材８は、円状に屈曲している接触脚部７の棒状体において、配管Ｈ等の湾曲面に当接する面全体に、帯状に配置している。
【００７０】
緩衝材８としては、一定の硬さと伸縮性を備え、かつ滑り難い素材として、ゴム等を用いると好ましいものとなる。
【００７１】
また、図８（ａ）（ｂ）に示すように、当接体３の接触脚部7が、磁性体９を備えていると、同様に、携帯型分析装置Ｓの前後方向・左右方向へのずれの発生を阻止した湾曲面測定用治具１として、好ましいものとなる。
【００７２】
この磁性体９としては、例えば、比較的に小さく形成した３個の磁性体９を、円状に屈曲している接触脚部７の棒状体における、両端部と中央部の側面に配置している。
【００７３】
尚、磁性体９の数と形状は、どの様なものであっても差し支えない。
【００７４】
さらに、図９（ａ）（ｂ）・図１０（ａ）（ｂ）に示すように、当接体３の接触脚部７が、配管Ｈ等の湾曲面の半円部分に接触している状態において、向かい側に位置している配管Ｈ等の露出している湾曲面に巻回する、閉鎖部材１０を備えていても良い。
【００７５】
尚、図９（ａ）（ｂ）・図１０（ａ）（ｂ）に示す閉鎖部材１０としては、例えば、接触脚部７の一端部に、所定の軸止構造を用いて、略半円状に形成したリング部材１１の基端部を開閉可能に取り付けている。
【００７６】
接触脚部７の他端部とリング部材１１の先端部は、図１０（ｂ）に示すように、所定の軸止構造により連結可能に形成されている。
【００７７】
尚、接触脚部７の他端部とリング部材１１の先端部を、ワンタッチで連結でき、また、ワンタッチで連結を解除できる構造を採用すると、より好ましいものとなる。
【００７８】
例えば、所定のボタンを押して、連結を解除できる構造を採用すると良い。また、リング構造においては、半円のリングの一端に、出し入れ可能なベルトを収納し、そのベルトを引き出して、もう一方のリングの端に引っ掛けたり、ねじ止めする等の手段で、固定する構造を採用しても良い。
【００７９】
また、閉鎖部材１０として、図１１（ａ）（ｂ）に示すように、接触脚部７の端部に、バンド部材１２を取り付けても良い。
【００８０】
このバンド部材１２は、接触脚部７の両端部に取り付けた帯状部材１３を、所定のバックル１４を介して、長さ調節可能に連結するものである。
【００８１】
また、バンド部材１２の帯状部材１３を、伸縮性を有する素材により形成すると、より好ましいものとなる。
【００８２】
この他、図１１（ａ）（ｂ）に示すように、当接体３を構成している接触脚部７を、開閉可能に形成しても良い。
【００８３】
具体的には、半円状に形成されている接触脚部７を、２分割して２本の棒状体７ａ・７ｂとし、両棒状体７ａ・７ｂの端部を、固定板６の端部に軸止した構造とする。
【００８４】
この様に、接触脚部７を開閉可能な棒状体７ａ・７ｂにより形成することにより、図１１（ａ）（ｂ）に示すように、一つの湾曲面測定用治具１で、径の異なる複数の配管Ｈ等の湾曲面に対応する事ができる。
【００８５】
尚、両棒状体７ａ・７ｂは、常に同じ角度で開閉することを基本とし、携帯型分析装置Ｓを、配管Ｈ等の湾曲面に対して垂直に宛がうものとする。
【００８６】
但し、必要に応じて、例えば、図１２に示すように、両棒状体７ａ・７ｂの開閉角度を異なるようにし、携帯型分析装置Ｓを、配管Ｈ等の湾曲面に対して好ましい角度と位置に宛がう事も可能である。
【００８７】
さらに、図１３（ａ）（ｂ）に示すように、当接体３を、略長方形状の環状体２における両長手方向部から延設された、略ハ字状に形成された一対の拡開板２０により構成しても良い。
【００８８】
一対の拡開板２０は、配管Ｈ等の露出している湾曲面に巻回するバンド部材２１を備えている。このバンド部材２１は、両端部を拡開板２０に掛止でき、その掛止位置を移動可能に形成されている。
【００８９】
具体的には、略ハ字状に形成されている拡開板２０において、図１３（ａ）に示すように、その上面の全体に、連続して凹部２２を設けておく。これらの連続した凹部２２は、全体として傾斜した階段状になっている。
【００９０】
一方、バンド部材２１は、伸縮性を有し、所定の長さを有する帯状部材２３の両端部に、棒部材２４を取り付けて形成している。
【００９１】
使用に際しては、図１３（ａ）に示すように、まず、略ハ字状に形成された一対の拡開板２０を、配管Ｈ等の湾曲面に宛がう。この状態において、例えば、図１３（ａ）の図で、左方に位置している一対の拡開板２０の好ましい位置の凹部２２に、バンド部材２１の一方の棒部材２４を掛止する。
【００９２】
次に、配管Ｈ等の湾曲面にバンド部材２１を巻き付けるようにして、バンド部材２１の他方の棒部材２４を、図１３（ａ）の図で、右方に位置している一対の拡開板２０の好ましい位置の凹部２２に掛止する。
【００９３】
このとき、図１３（ｂ）に示すように、略ハ字状に形成された一対の拡開板２０における下面の２点箇所が、配管Ｈ等の湾曲面に当たり、その状態で配管Ｈ等の露出している湾曲面にバンド部材２１を巻回して締め付けるので、携帯型分析装置Ｓが前後方向・左右方向にぐらついたり、ずれの発生を確実に阻止する事ができる。
【００９４】
また、当接体３が一対の拡開板２０により構成されているので、拡開板２０における下面の２点箇所を配管Ｈ等の湾曲面に突き当てることにより、径の異なる複数の配管Ｈ等の湾曲面に対応することができる。
【産業上の利用可能性】
【００９５】
本発明は、ガンタイプの蛍光Ｘ線分析装置等の携帯型分析装置を用いて、湾曲面を有する配管等の各種分析を行う際に、配管等の湾曲面に対して、携帯型分析装置をぐらつき無く宛がって、測定精度を飛躍的に向上できる湾曲面測定用治具として、様々な作業現場における種々の部材の分析作業に、幅広く利用されるものである。
【符号の説明】
【００９６】
Ｓ…携帯型分析装置
Ｓａ…Ｘ線照射部
Ｈ…配管
１…湾曲面測定用治具
２…環状体
３…当接体
４…螺子孔
５…ボルト部材
６…固定板
７…接触脚部
７ａ…棒状体
７ｂ…棒状体
８…緩衝材
９…磁性体
１０…閉鎖部材
１１…リング部材
１２…バンド部材
１３…帯状部材
１４…バックル
２０…拡開板
２１…バンド部材
２２…凹部
２３…帯状部材
２４…棒部材
１００…線源
１０１…センサ
１０２…管
１０３…測定治具
２０１…配管当接部
２０２…線源取付部
２０３…配管当接部
２０４…センサ
２０５…センサ取付部
２０６…締結ベルト
２０７…ベルト固定部
２０８…配管
【図１】
2017173093.tif 000003
【図２】
2017173093.tif 000004
【図３】
2017173093.tif 000005
【図４】
2017173093.tif 000006
【図５】
2017173093.tif 000007
【図６】
2017173093.tif 000008
【図７】
2017173093.tif 000009
【図８】
2017173093.tif 000010
【図９】
2017173093.tif 000011
【図１０】
2017173093.tif 000012
【図１１】
2017173093.tif 000013
【図１２】
2017173093.tif 000014
【図１３】
2017173093.tif 000015
【図１４】
2017173093.tif 000016
【図１５】
2017173093.tif 000017
【図１６】
2017173093.tif 000018
【図１７】
2017173093.tif 000019